(57)【特許請求の範囲】
【請求項１】
額縁状に形成された枠体と上記枠体の前面に設けられる前飾りとを備えたパチンコ機の前枠であって、上記前飾りは、上記枠体の上縁部に取付けられる上部飾りと上記枠体の左右縁部に取付けられる側部飾りとに分別され、上記側部飾りの前面には、左右同一のものが左右対称となるように用いられる左右のスピーカ装置を取付けるための凹状の部品収納部がそれぞれ設けられており、上記上部飾りは、左右端より下側に突出して上記部品収納部よりも上部側の側部飾りを前側から覆う袖部を備え、上記袖部の端部は、上記部品収納部に取付けられるスピーカ装置の上側周縁に沿う形状に形成され、かつ、複数の凸部を備え、上記部品収納部の上縁部には、上記凸部を取り囲む凹部が形成され、上記部品収納部は、上記スピーカ装置の配線を当該側部飾りの裏面側に挿入するためのスピーカ逃孔と、上記スピーカ装置を裏面側から上記部品収納部に締結するための止めねじを挿入するためのスピーカ装置取付孔とを備えており、上記スピーカ装置は、上記部品収納部に、当該前枠の前側から取り出し可能に取付けられていることを特徴とするパチンコ機の前枠。  
【発明の詳細な説明】
【０００１】
【発明の属する技術分野】
本発明は、パチンコ機の前枠に関する。
【０００２】
【従来の技術】
パチンコ機では、本体枠がパチンコ店の島に取付けられ、遊技盤が本体枠に交換可能に取付けられる形態である。本体枠は、島に固定される外枠と、外枠に片開きされるように取付けられた前枠とを備える。前枠では、木材からなる額縁状の枠体の上縁部及び左右縁部が合成樹脂製の前飾りで装飾されている。特開平７−３０８４４７号公報で開示された前飾りは、枠体の上縁部に取付けられる上部飾りと左右縁部に取付けられる側部飾りとからなる３つの要素に分別され、トップランプの左右端部と側部飾りとを上下で嵌合する構造である。
【０００３】
【発明が解決しようとする課題】
前記公報で開示された上部飾りと側部飾りとが上下で嵌合された構造の場合、各要素どうしが互いにあわせられたパーティングラインを正面から見ると、パーティングラインの隙間から枠体が見えることがあり、パーティングラインの隙間から枠体が見えると見栄えが悪くなることは否めない。
【０００４】
そこで、本発明は、前飾りのパーティングラインを目立たなくして意匠性の高い前枠を提供するものである。
【０００５】
【課題を解決するための手段】
本発発明にあっては、額縁状に形成された枠体と上記枠体の前面に設けられる前飾りとを備えたパチンコ機の前枠において、上記前飾りが、上記枠体の上縁部に取付けられる上部飾りと上記枠体の左右縁部に取付けられる側部飾りとに分別され、上記側部飾りの前面には、左右同一のものが左右対称となるように用いられる左右のスピーカ装置を取付けるための凹状の部品収納部がそれぞれ設けられており、上記上部飾りは、左右端より下側に突出して上記部品収納部よりも上部側の側部飾りを前側から覆う袖部を備え、上記袖部の端部は、上記部品収納部に取付けられるスピーカ装置の上側周縁に沿う形状に形成され、かつ、複数の凸部を備え、上記部品収納部の上縁部には、上記凸部を取り囲む凹部が形成され、上記部品収納部は、上記スピーカ装置の配線を当該側部飾りの裏面側に挿入するためのスピーカ逃孔と、上記スピーカ装置を裏面側から上記部品収納部に締結するための止めねじを挿入するためのスピーカ装置取付孔とを備えており、上記スピーカ装置は、上記部品収納部に、当該前枠の前側から取り出し可能に取付けられていることを特徴としている。本発明によれば、上部飾りの端部が側部飾りのスピーカ装置よりも上部を前側から覆うので、上部飾りと側部飾りとのパーティングラインの隙間から枠体が見えることはない。しかも、上部飾り端部がスピーカ装置の周縁に沿うので、上部飾りと側部飾りとのパーティングラインが目立たなくなり、前枠の意匠性が高くなる。又、上部飾りの端部が側部飾りに取付けられる機能部で押えられる凸部を備えるとともに、上記部品収納部の上縁部に、上記凸部を取り囲む凹部を形成したので、上部飾りの端部の浮上がりが防止でき、見栄えが良くなる。
また、上記部品収納部に、上記スピーカ装置の配線を当該側部飾りの裏面側に挿入するためのスピーカ逃孔と、上記スピーカ装置を裏面側から上記部品収納部に締結するための止めねじを挿入するためのスピーカ装置取付孔とを設けて、上記スピーカ装置を当該前枠の前側から取り出し可能としたので、スピーカ装置が故障した場合でもスピーカ装置を容易に交換することができる。
【０００６】
【発明の実施の形態】
図１〜図６は本発明の一実施形態を示すものであって、図１は前枠１を分解して前側から示し、図２は前枠１と外枠１７とよりなる本体枠の正面を示し、図３は図２をＡ−Ａ線に沿い切断した断面を示し、図４は図２をＢ−Ｂ線に沿い切断した断面を示し、図５は側飾りの発光表示装置４０を分解して前側から示し、図６は枠体２と前飾り３との取付構造を示す。
【０００７】
図１を参照し、前枠１について説明する。前枠１はベニヤのような木材からなる額縁状の枠体２を備える。枠体２の上縁部には上部飾り取付孔２ａとコーナピース取付孔２ｂ及び上部配線通路２ｃが形成される。枠体２の左右縁部には、側部飾り取付孔２ｅ、スピーカ逃部２ｆ、側部発光表示装置逃部２ｈ、側部配線通路２ｉ、止ねじ逃孔２ｊが形成される。枠体２の左縁部には球抜操作用孔２ｋが形成される。枠体２の右縁部には施錠装置逃部２ｍ及びストップスイッチ配線通路２ｎが形成される。上部飾り取付孔２ａ、上部配線通路２ｃ、側部飾り取付孔２ｅ、側部配線通路２ｉ、止ねじ逃孔２ｊ、球抜操作用孔２ｋ及びストップスイッチ配線通路２ｎは前後に貫通し、スピーカ逃部２ｆ及び側部発光表示装置逃部２ｈは前面に裏側に窪む凹状に設けられ、施錠装置逃部２ｍは外側面より内側に凹状に切欠かれている。枠体２の左側上下端には金属からなる可動側ヒンジ４；５が取付けられる。
【０００８】
上部可動側ヒンジ４は回転中心として上側に突出した軸４ａを枠体２よりも前側に位置するように備える。下部可動側ヒンジ５は回転中心として上下に貫通した孔５ａを枠体２よりも前側に位置するように備える。枠体２の上縁部と左右縁部及び下縁部で囲まれる四角形の窓には金属製のパネル枠支持枠６が設けられる。パネル枠支持枠６は枠体２の上縁部と左右縁部及び下縁部に前側より止ねじ７で取付けられる。パネル枠支持枠６には上部のパネル枠８と下部の上皿装置９とがパネル枠支持枠６の左縁部に図示しないヒンジで前方横方向に片開き可能に取付けられる。
【０００９】
パネル枠８には図示しないパネルが装着される。このパネルは、前枠１と前枠１の裏面に固定された金属製のリアプレート１０とで囲まれる内部空間に格納された図示しないゲージ盤と通称される遊技盤を前方より視認し得る透視性の有る合成樹脂又はガラスにより形成される。リアプレート１０に取付けられた施錠装置１１は施錠装置逃部２ｍに配置される。枠体２の下縁部には下皿装置１２がパネル枠支持枠６の下縁部を覆うように固定される。下皿装置１２の右側には球発射装置のハンドルグリップ１３が配置される。ハンドルグリップ１３は、人為的に一方向に回転操作されることにより、その回転操作量に応じて、球発射装置の球を遊技領域に向けて発射するための打力を電気的に調整する。
【００１０】
枠体２の前面には合成樹脂からなるコ字形の前飾り３が設けられる。前飾り３は、上部飾り３１と左右のコーナピース３２；３３及び左右の側部飾り３４；３５からなる５つに分別された要素を備える。上部飾り３１は枠体２の上縁部前側に取付けられることにより、全体的にトップランプユニットとして認識されるものであって、上部発光表示装置３１ａ、左右の袖部３１ｂ；３１ｃ、複数の脚部３１ｆ及び覆部３１ｈを備える。上部発光表示装置３１ａはトップランプ装置として上部飾り３１の前面中央に配置される。上部発光表示装置３１ａの図示しないランプ配線は枠体２の上部配線通路２ｃを経由して枠体２の裏側に引き通される。袖部３１ｂ；３１ｃは、上部飾り３１の左右端より下側に突出し、側部飾り３４；３５の機能部を設けるための部品収納部３４ａ；３５ａよりも上部前側を覆う。袖部３１ｂ；３１ｃの端部３１ｄ；３１ｅは部品収納部３４ａ；３５ａに設けられる機能部としてのスピーカ装置１４の上側周縁に沿う形状に形成される。脚部３１ｆは上部飾り３１の裏面より裏側に突出し、外周面に螺旋状の上部飾り側係合部３１ｇを備える。覆部３１ｈは上部飾り３１の上縁部より裏側に突出して枠体２の上縁部の上面を覆う。端部３１ｄには複数の凸部３１ｘを備え、端部３１ｅには複数の凸部３１ｙを備える。
【００１１】
コーナピース３２；３３は、枠体２の左右上部の隅部前側に取付けられることにより、円弧部３２ａ；３３ａを有する略三角形の角飾りとして認識されるものであって、覆部３２ｂ；３３ｂとフランジ部３２ｃ；３２ｄ；３３ｃ；３３ｄ及び複数の脚部３２ｅ；３３ｅを備える。円弧部３２ａ；３３ａは上部飾り３１の左右に形成された円弧状の外縁部３１ｉ；３１ｊに整合する形状である。覆部３２ｂ；３３ｂはコーナピース３２；３３の上縁部より裏側に突出して枠体２の上縁部の上面を覆う。フランジ部３２ｃ；３２ｄ；３３ｃ；３３ｄは円弧部３２ａ；３３ａの両端部において裏側より側方に突出して上部飾り３１の下に潜り込ませられる。上側フランジ部３２ｄ；３３ｃは覆部３２ｂ；３３ｂに連なる。脚部３２ｅ；３３ｅは、コーナピース３２；３３の裏面より裏側に突出し、外周面に螺旋状のコーナピース側係合部３２ｆ；３３ｆを備える。左側コーナピース３２の直角隅部にはヒンジ逃部３２ｈが切欠かれている。
【００１２】
側部飾り３４；３５は、下皿装置１２よりも上方に突出する枠体２の左右縁部前側に個別に取付けられるものであって、部品収納部３４ａ；３５ａ、上下２段の側部発光表示装置３４ｂ；３４ｃ；３５ｂ；３５ｃ、縁取り逃部３４ｄ；３５ｄ及び複数の脚部３４ｇ；３５ｇを備える。但し、側部飾り３５に設けられる脚部３５ｇは側部飾り３４に設けられる脚部３４ｇと同じであるので、図示は省略したが、脚部３４ｇの符号「３４ｇ」を符号「３５ｇ」と読替えることにより理解できるであろう。部品収納部３４ａ；３５ａは側部飾り３４；３５の前面に裏側に窪む凹状に設けられる。部品収納部３４ａ；３５ａの上縁部には凸部３１ｘ；３１ｙを取込む凹部３４ｊ；３５ｍが形成される。部品収納部３４ａ；３５ａにはスピーカ逃孔３４ｅ；３５ｅと複数のスピーカ装置取付孔３４ｆ；３５ｆとを備える。スピーカ装置取付孔３４ｆ；３５ｆはスピーカ逃孔３４ｅ；３５ｅの上下に配置される。上段側部発光表示装置３４ｂ；３５ｂはパネル枠８の左右に配置され、下段側部発光表示装置３４ｃ；３５ｃは上皿装置９の左右に配置される。側部発光表示装置３４ｂ；３４ｃ；３５ｂ；３５ｃの図示しないランプ配線は枠体２の側部配線通路２ｉを経由して枠体２の裏側に引き通される。
【００１３】
脚部３４ｇ；３５ｇは、側部飾り３４；３５の裏面より裏側に突出し、外周面に螺旋状の側部飾り側係合部３４ｈ；３５ｈを備える。但し、脚部３５ｇに設けられる側部飾り側係合部３５ｈは脚部３４ｇに設けられる側部飾り側係合部３４ｈと同じであるので、図示は省略したが、側部飾り側係合部３４ｈの符号「３４ｈ」を符号「３５ｈ」と読替えることにより理解できるであろう。左側部飾り３４は上記以外に球抜操作孔３４ｉを備える。球抜操作孔３４ｉは上段側部発光表示装置３４ｂに配置されている。右側部飾り３５は上記以外に施錠装置逃孔３５ｉ及びストップスイッチ３５ｊを備える。施錠装置逃孔３５ｉは部品収納部３５ａと上段側部発光表示装置３５ｂとの間に形成される。ストップスイッチ３５ｊは、下段側部発光表示装置３５ｃよりも下部に内蔵され、右側部飾り３５の前面より前側に突出したストップスイッチ３５ｊの釦が人為的に押されている間、ハンドルグリップ１３による球発射装置の球発射動作を停止する。ストップスイッチ配線３５ｋは右側部飾り３５より裏側に突出する。
【００１４】
側部飾り３４；３５が枠体２に固定具１６で取付けられ、コーナピース３２；３３が枠体２に固定具１６で取付けられ、上部飾り３１が枠体２に固定具１６で取付けられることにより、上部飾り３１の外縁部３１ｉ；３１ｊがコーナピース３２；３３のフランジ部３２ｃ；３２ｄ；３３ｃ；３３ｄを前側から覆うと共に円弧部３２ａ；３３ａに整合し、上部飾り３１の袖部３１ｂ；３１ｃが部品収納部３４ａ；３５ａよりも上方に突出した側部飾り３４；３５の上部を前側から覆う。よって、上部飾り３１の袖部３１ｂ；３１ｃが側部飾り３４；３５の上部を前側から覆うので、上部飾り３１と側部飾り３４；３５とのパーティングラインの隙間から枠体２が見えることはない。
【００１５】
又、上部飾り３１の端部３１ｄ；３１ｅが側部飾り３４；３５の部品収納部３４ａ；３５ａに取付けられたスピーカ装置１４の上側周縁に沿うので、上部飾り３１と側部飾り３４；３５とのパーティングラインが目立たなくなる。又、スピーカ装置１４が部品収納部３４ａ；３５ａに取付けられる際、凹部３４ｊ；３５ｍに配置された凸部３１ｘ；３１ｙがスピーカ装置１４で前側から覆われて押えられるので、スピーカ装置１４が前飾り３に装着された状態において、端部３１ｄ；３１ｅが前側に浮上がることがなく、見栄えが良くなる（図２参照）。しかも、コーナピース３２；３３が上部飾り３１より露出した側部飾り３４；３５の角部を前側から覆い、コーナピース３２；３３の側部飾り３４；３５より内側に突出する角部は上部飾り３１の外縁部２１ｉ；３１ｊで前側より覆われるので、上部飾り３１とコーナピース３２；３３とのパーティングラインの隙間から枠体２が見えることもない。
【００１６】
又、左側部飾り３４が枠体２に取付けられることにより、球抜操作孔３４ｉが枠体２の球抜操作用孔２ｋと前後に同軸状に合せられ、図示しない球抜操作棒が人的に球抜操作孔３４ｉより球抜操作用孔２ｋを経由して前枠１の裏側に挿入される。そして、パチンコ店の営業終了時において、パチンコ店従業員が球抜操作棒を球抜操作孔３４ｉより前枠１の裏側に挿入することにより、前枠１の裏側に突出した球抜操作棒が前枠１の裏側に設けられた図示しない賞球や貸球等の球払出装置の球抜操作部を押すことにより、球払出装置から球が球払出装置の球抜通路を経由してパチンコ店の島側に排出される。
【００１７】
右側部飾り３５が枠体２に取付けられることにより、施錠装置１１の前部が施錠装置逃孔３５ｉに配置され、施錠装置１１の前面に設けられた鍵穴を前側より操作することができる。この実施形態では、施錠装置１１の鍵穴に挿入された図示しないキープレートが一方向へ例えば９０度回転操作されることにより、外枠１７に対し前枠１が人為操作で横方向前側に片開き可能となる。又、上記キープレートが前記前枠２の開閉時における方向とは逆の方向に例えば９０度回転操作されることにより、枠体２に対しパネル枠８が人操作で横方向前側に片開き可能となる。パネル枠８が開かれた状態において、上皿装置９の図示しないロック操作レバーが人為操作で押されることにより、枠体２に対し上皿装置９が横方向前側に片開き可能となる。
【００１８】
左右のスピーカ装置１４は、左右同一のものが左右対象となるように用いられ、各スピーカ装置１４の裏側に突出するスピーカ配線１４ａが前飾り３のスピーカ逃孔３４ｅ；３５ｅに前側より裏側に個別に挿入され、スピーカ装置１４が部品収納部３４ａ；３５ａに前側より個別に挿入された後、止ねじ１５が部品収納部３４ａ；３５ａの裏側よりスピーカ装置取付孔３４ｆ；３５ｆを経由してスピーカ装置１４に個別に締結されることにより、左右のスピーカ装置１４が部品収納部３４ａ；３５ａに個別に取付けられる。
【００１９】
側部飾り３４；３５が枠体２に取付けられる際、スピーカ配線１４ａは枠体２の側部配線通路２ｉに前側より裏側に挿入され、側部飾り３４；３５の裏面に突出する止ねじ１５の頭部は枠体２の止ねじ逃孔２ｊに取込まれる。よって、左右の側部飾り３４；３５が枠体２に取付けられた状態において、ドライバのような工具で枠体２の裏面より止ねじ逃孔２ｊを経由して止ねじ１５を取外すことにより、スピーカ装置１４が前側に取外せる。このため、スピーカ装置１４が故障した場合、前飾り３が枠体２に付けられたまま、スピーカ装置１４を容易に交換することができる。又、右側部飾り３５が枠体２に取付けられる際、ストップスイッチ配線３５ｋは枠体２のストップスイッチ配線通路２ｎに前側より裏側に挿入される。
【００２０】
図２において、パチンコ店の島に取付けられる額縁状の外枠１７には前枠１が前方横方向に片開き可能に取付けられる。つまり、前枠１に設けられた上下の可動側ヒンジ４；５が外枠１７に設けられた上下の固定側ヒンジ１８；１９に回転可能に装着されることにより、前枠１が外枠に可動側ヒンジ３；４と固定側ヒンジ１８；１９とからなる枠ヒンジを介して取付けられる。外枠１７と前枠１とが遊技盤をパチンコ店の島に交換可能に取付けるための枠本体を構成する。
【００２１】
そして、スピーカ装置１４の放音部中心がパネル枠８の上部内側よりパネル枠８の上下方向内法の約１／４下がった位置と対応するように、スピーカ装置１４は前枠１の左右側部に配置される。例えば、パネル枠８の上下方向内法Ｌ１が約３８ｃｍであり、スピーカ装置１４の放音部中心とパネル枠８の上部内側との間の寸法Ｌ２が約１０ｃｍに設定される。よって、遊技盤２０が本体枠に収められた状態において、スピーカ装置１４の放音部が遊技盤２０に設けられたセンター役物２０ａの上部や図示しない天入賞口の横方向に位置する。これは、パチンコ店に設置されたパチンコ機における遊技中の遊技者に対し、スピーカ装置１４の放音部が当該遊技者の耳位置と対応することとなり、スピーカ装置１４から放出される効果音が上記遊技中の遊技者に集中し、遊技性が向上する。
【００２２】
又、スピーカ装置１４の放音部が前方内側に指向するように設置される。よって、スピーカ装置１４から放出される効果音が周囲の遊技者に耳障りとはならなず、周囲の遊技者は自分の遊技に集中することができる。
【００２３】
図３を参照し、上部飾り３１の内部構造について説明する。上部飾り３１は上部飾りベース３１ｋと回路基板３１ｍ及び上下のランプカバー３１ｎ；３１ｐからなる４つに分別された要素を備える。上部飾りベース３１ｋは横長部の左右端より下方に図１の袖部３１ｂ；３１ｃを有する。上部飾りベース３１ｋの前面には回路基板３１ｍが図示しないねじで固定される。回路基板３１ｍの前面には複数のＬＥＤからなる上側発光源３１ｒと複数のＬＥＤからなる下側発光源３１ｓとが設けられる。
【００２４】
ランプカバー３１ｎ；３１ｐが上部飾りベース３１ｋにおける横長部の前側に被せられて横長部の裏面より図外の止ねじで取付けられることにより、ランプカバー３１ｎ；３１ｐ間には上側ランプカバー３１ｎ又は下側ランプカバー３１ｐによる隔壁３１ｕが配置される。よって、この実施形態の構造によれば、隔壁３１ｕが上側ランプカバー３１ｎと下側ランプカバー３１ｐとは別体により形成された場合に比べ、上部発光表示装置３１ａの構造が簡単となる。
【００２５】
発光源３１ｒ；３１ｓは、フィラメント球、ＬＥＤ等の複数の種類が混在する形態であっても良いが、この実施形態のようにＬＥＤで統一されれば、発光源３１ｒ；３１ｓの長寿命化と発光色の色選定とが両立できる。それは、ＬＥＤはフィラメント球に比べ振動耐久性に富むと共に赤色発光や青色発光或いは黄色発光又は橙色発光等の特定色を発光するものが開発されているからである。よって、発光源３１ｒ；３１ｓがＬＥＤで統一され、ＬＥＤの発光色とランプカバー３１ｎ；３１ｐの色とが同色系であれば、ランプカバー３１ｎ；３１ｐの外側から見た場合にランプカバー３１ｎ；３１ｐの発光源３１ｒ；３１ｓと対応する部分がそれ以外の部分より輝度が高くなるような不揃いが発生せず、ランプカバー３１ｎ；３１ｐが全体的に一様な輝度で発光し、発光表示の意匠性も良くなる。
【００２６】
隔壁３１ｕは上側発光領域３１ｖと下側発光領域３１ｗとを区分する。上側発光領域３１ｖには上側発光源３１ｒが配置され、下側発光領域３１ｗには下側発光源３１ｓが配置される。よって、上側発光源３１ｒから照射される光は下側発光領域３１ｗに漏れないように隔壁３１ｕで遮られ、下側発光源３１ｓから照射される光は上側発光領域３１ｖに漏れないように隔壁３１ｕで遮られる。ランプカバー３１ｎ；３１ｐの前壁は、発光源３１ｒ；３１ｓより照射された光を拡散するように、前壁裏面が凹凸状のレンズとして形成される。
【００２７】
この実施形態では発光源３１ｒ；３１ｓの実装された回路基板３１ｍとランプカバー３１ｎ；３１ｐとが上部飾りベース３１ｋに取付けられることにより、上部発光表示装置３１ａが上部飾り３の前面中央に設けられる。組立てられた上部飾り３１が枠体２の上縁部に取付けられる際、上部飾りベース３１ｋの裏側に突出する上部飾り側係合部３１ｇは枠体２の肉厚内に取込まれる。
【００２８】
図４及び図５を参照し、図１の側部飾り３４；３５に相当する側部飾り４０に設けられた側部発光表示装置４１の内部構造について説明する。側部発光表示装置４１は、図１の上下２段の側部発光表示装置３４ｂ；３４ｃ；３５ｂ；３５ｃに相当するものであって、基板収納部４２と回路基板及４３及レンズ４４からなる３つに分別された要素を備える。基板収納部４２は側部飾り４０の前面に裏側に窪む凹状に設けられ、一側部に凸部４２ａ及び逃溝４２ｂを備え、他側部に棚部４２ｃを備える。回路基板４３の前面には複数のＬＥＤからなる発光源４３ａが実装される。そして、回路基板４３の一側部が基板収納部４２の凸部４２ａの裏側に挿入されて逃溝４２ｂに配置され、回路基板４３の他側部が棚部４２ｃの前面に載せられた後、レンズ４４が被せられて左右の側部飾り３４；３５の裏側より止ねじ４５により取付けられることにより、回路基板４３の一側部前面が凸部４２ａに接触し、回路基板４３の他側部が棚部４２ｃとレンズ４４とで挟み付けられる。その状態において、図４に示すように、レンズ４４の前面は前方外側に向くように傾斜する。回路基板４３は発光源４３ａからレンズ４４の前面までの距離が同じとなるようにレンズ４４の前面に沿って傾斜している。
【００２９】
図６を参照し、枠体２と前記上部飾り３１やコーナピース３２；３３及び側部飾り３４；３５等に相当する前飾り要素３６との取付について説明する。固定具１６は筒部１６ａと頭部１６ｂとを備えた可撓性の有る合成樹脂により形成される。筒部１６ａの外周面には筒部１６ａの開口端から頭部１６ｂの方面に直線状に延びる薄肉部１６ｃが形成され、筒部１６ｂの内周面には筒部１６ａの開口端から頭部１６ｂの方面に螺旋状に延びる固定具側係合部１６ｄが形成される。頭部１６ｂは筒部１６ａより外側に膨出した半球形の笠形状であって、頭部１６ｂの外側面中心には操作凹部１６ｅが形成される。
【００３０】
前記前飾り要素３６を枠体２に固定具１６で取付けるには、先ず、図６のａ図に示すように、前飾り要素３６の前記脚部３１ｆ；３２ｆ；３３ｅ；３４ｇ；３５ｇに相当する脚部３６ａが枠体２の前記上部飾り取付孔２ａやコーナピース取付孔２ｂ及び側部飾り取付孔２ｅに相当する取付孔２ｐに前側より挿入される。その状態において、固定具１６の筒部１６ａが取付孔２ｐに裏側より挿入される。そして、筒部１６ａと脚部３６ａとが嵌め合されるように、筒部１６ａが脚部３６ａに直線的に押込まれることにより、固定具側係合部１６ｄと脚部３６ａの前飾り要素側係合部３６ｂとが互いに衝突し、筒部１６ａが薄肉部１６を介して外側に撓み、更に、頭部１６ｂの周縁が取付孔２ｐ周りの枠体２の裏面に衝突し、頭部１６ｂが外側に広がるように撓む。その状態において、固定具１６への押込みを止めることにより、図６のｂ図に示すように、固定具側係合部１６ｄと前飾り要素側係合部３６ｂとが互いに噛合い、頭部１６ｂの復元しようとする力が固定具１６から脚部３６ａを経由して前飾り要素３６を枠体２の方面に引張り、前飾り要素３６が枠体２にがたつくことなく固定される。
【００３１】
前飾り要素３６を枠体２より取外すには、図６のｂ図の状態において、固定具１６が操作凹部１６ｅに差込まれた図示しないドライバのような工具で一方向に回転操作されることにより、螺旋状の固定具側係合部１６ｂと螺旋状の前飾り要素側係合部３６ｂとにより誘導されつつ、固定具１６が枠体２の裏側に突出し、最後に、固定具側係合部１６ｂと前飾り要素側係合部３６ｂとの噛合いが解除される。その状態において、前飾り要素３６が枠体２より前側に取外せる。
【図面の簡単な説明】
【図１】  本発明の一実施形態を示す分解斜視図。
【図２】  同実施形態を示す正面図。
【図３】  図２のＡ−Ａ線断面図。
【図４】  図２のＢ−Ｂ線断面図。
【図５】  同実施形態の発光表示装置を示す分解斜視図。
【図６】  同実施形態の枠体と前飾りとの取付構造を示す断面図。
【符号の説明】
１  前枠
２  枠体
３  前飾り
１４  スピーカ装置（機能部）
３１  上部飾り
３１ａ；上部発光表示装置
３１ｂ；３１ｃ  袖部
３１ｄ；３１ｃ  端部
３１ｋ  上部飾りベース
３４；３５  側部飾り
３４ａ；３５ａ  部品収納部
３４ｂ；３４ｃ；３５ｂ；３５ｃ  側部発光表示装置
【図１】
0004290830.tif 000002
【図２】
0004290830.tif 000003
【図３】
0004290830.tif 000004
【図４】
0004290830.tif 000005
【図５】
0004290830.tif 000006
【図６】
0004290830.tif 000007